(57)【特許請求の範囲】
【請求項１】
端子部に鎖錠ばねを備え、導体を前記鎖錠ばねの付勢力により前記端子部に接続する速結端子を有する回路遮断器の端子構造であって、前記鎖錠ばねは前記導体を固定するため前記導体へ付勢された固定部と、前記導体が抜け落ちることを防止するため前記端子部の前記導体導入部へ付勢された抜け止め部とで構成され、前記鎖錠ばねは、端子座に設けられた保持突起に係止可能である押さえ板により端子座底面に保持されることを特徴とする回路遮断器の端子構造。
【請求項２】
前記保持突起を、前記鎖錠ばねの底辺部を前記押さえ板を介して前記端子座の底面に押さえつけることが可能な位置に形成することを特徴とする請求項１に記載の回路遮断器の端子構造。
【発明の詳細な説明】
【技術分野】
【０００１】
本発明は、端子部に鎖錠ばねを備え、導体を鎖錠ばねの付勢力により端子部に接続する速結端子を有する回路遮断器の端子構造に関するものである。
【背景技術】
【０００２】
ねじ締め作業を省き、導体を差し込むだけで接続ができる速結端子を備えた回路遮断器には、特許文献１に記載のものがある。図において、回路遮断器の端子部には、導体を挿入する導入部が設けられ、導入部には導体を受ける端子座が取り付けられている。端子座には導体を接続するための鎖錠ばねが配置されている。鎖錠ばねは導入部から挿入された導体を端子座に押圧して電気的接続を図ると共に、導体に係止して抜け防止としている。
【特許文献１】特開２０００−２１５７８０号公報
【発明の開示】
【発明が解決しようとする課題】
【０００３】
しかし、上記のような構造の回路遮断器の端子は、導体を端子と接続する際の導体の差し込み方によっては、鎖錠ばねの弾性限界を超えてしまうことがあった。このような場合、鎖錠ばねが変形してしまい、導体の押圧力や係止力が不足し、導体と端子との接続不良が発生したり、導体が抜けやすくなったりしてしまう問題が発生していた。
【課題を解決するための手段】
【０００４】
そこで本発明は、導体の差し込み方に関わらず、鎖錠ばねの変形を抑えることを目的とし、その構造は、鎖錠ばねは導体を固定するため導体へ付勢された固定部と、導体が抜け落ちることを防止するため端子部の導体導入部へ付勢された抜け止め部とで構成され、鎖錠ばねは、端子座に設けられた保持突起に係止可能である押さえ板により端子座底面に保持されることを特徴とする。
【０００５】
また、保持突起を、前記鎖錠ばねの底辺部を前記押さえ板を介して前記端子座の底面に押さえつけることが可能な位置に形成することを特徴とする。
【発明の効果】
【０００６】
本発明に係る回路遮断器の端子構造は、導体の差し込み方に関わらず、鎖錠ばねの変形を抑えることを目的とし、その構造は、鎖錠ばねは導体を固定するため導体へ付勢された固定部と、導体が抜け落ちることを防止するため端子部の導体導入部へ付勢された抜け止め部とで構成され、鎖錠ばねは、端子座に設けられた保持突起に係止可能である押さえ板により端子座底面に保持されるため、この保持突起により、鎖錠ばねが所定量を超える変形を抑えることができるので、導体の差し込み方向や、導体の変形による鎖錠ばねへの負荷に関わらず、鎖錠ばねの弾性を維持でき、導体と端子との接続不良や導体が抜けやすくなるといった問題が発生しない。
【０００７】
また、保持突起を、前記鎖錠ばねの底辺部を前記押さえ板を介して前記端子座の底面に押さえつけることが可能な位置に形成するため、この保持突起により、鎖錠ばねが所定量を超える変形を抑えることができるので、導体の差し込み方向や、導体の変形による鎖錠ばねへの負荷に関わらず、鎖錠ばねの弾性を維持でき、導体と端子との接続不良や導体が抜けやすくなるといった問題が発生しない。
【発明を実施するための最良の形態】
【０００８】
本発明に係る回路遮断器の端子構造の実施例を図１〜図５の添付図面に基いて説明する。
【０００９】
回路遮断器１内で電流は、電源側端子２から固定接触子３、可動接触子４等を経て、負荷側端子５へと流れている。図１に示すようにオン状態では、ハンドルユニット６が可動接触子４を押した状態で、固定接触子３に可動接触子４が接触しているため通電される。また図２に示すようにオフ状態では、ハンドルユニット６が固定接触子３を引いた状態で、固定接触子３に可動接触４が接触しないため通電されない。
【００１０】
負荷側端子５には端子座７が設けられる。端子座７は、図５に示すように断面略コ字状に上面７ａ、下面７ｂ、一側面７ｃを形成している。端子座７には、鎖錠ばね８を配置している。鎖錠ばね８は回路遮断器１の負荷側端子５に接続される導体を固定する役割を持ち、固定部８ａと抜け止め部８ｂと底辺部８ｃから構成される。固定部８ａは、導体を負荷側端子５に確実に固定するため、端子座７の上面７ａに向かって付勢されている。また、抜け止め部８ｂは一旦接続された導体が抜け落ちないようにするため、端子口９に向かって付勢されている。
【００１１】
端子座７には、鎖錠ばね８の変形を抑えるため、制限手段を設けている。具体的には、保持突起１０を設け、この保持突起１０に対向する凹部１１ａを形成した押さえ板１１を保持突起１０に係止させる。端子座７の下面７ｂと保持突起１０に係止された押さえ板１１との間に鎖錠ばね８を組み付ける。鎖錠ばね８は端子座７に押さえ板１１を介して保持突起１０により浮き上がらないように押さえられる。
【００１２】
導体は、端子座７に対して平行に差し込むことで、鎖錠ばね８の付勢が十分有効に利用できる。端子座７の底面７ｃに向かって鎖錠ばね８を押し付けるような角度で導体が端子口９へ差し込まれた場合、鎖錠ばね８に所定量以上の負荷がかかることになり、ばねの弾性を維持することが困難である場合もあった。そこで、保持突起１０を設けることで、導体を確実に負荷側端子７に固定すると共に、鎖錠ばね８に所定量以上の力が加わった場合にも、ばねの弾性が損なわれないようになっている。
【００１３】
また、導体が鎖錠ばね８を必要以上に端子座７の底面７ｃへ押し付けるような角度で端子口９に導入された場合、鎖錠ばね８の端子口９側が浮き上がってしまうため、本発明では、端子座７の側面の、鎖錠ばね８の底辺部８ｃを端子座７の底面７ｃに押さえつける位置に、保持突起１２を設け、鎖錠ばね８の位置を、導体の差し込み角度に関わらず保持できるようにした。
【図面の簡単な説明】
【００１４】
【図１】回路遮断器のオン状態の断面図である。
【図２】回路遮断器のオフ状態の断面図である。
【図３】端子座と鎖錠ばねを示す分解斜視図である。
【図４】図３における端子座と鎖錠ばねとを組み付けた状態を示す説明図である。
【図５】図４における端子座の説明図である。
【符号の説明】
【００１５】
１      回路遮断器
２      電源側端子
３      固定接触子
４      可動接触子
５      負荷側端子
６      ハンドルユニット
７      端子座
７ａ    上面
７ｂ    下面
７ｃ    側面
８      鎖錠ばね
８ａ    固定部
８ｂ    抜け止め部
８ｃ    底辺部
９      端子口
１０    保持突起
１１    押さえ板
１１ａ  凹部
【図１】
0005041544.tif 000002
【図２】
0005041544.tif 000003
【図３】
0005041544.tif 000004
【図４】
0005041544.tif 000005
【図５】
0005041544.tif 000006